(57)【要約】【課題】  入力信号光のパワーの値が変化した場合でも、簡易にラマン増幅の利得変動を小さくすることができるラマン増幅器を提供する。【解決手段】  ラマン増幅器１００は、入力される信号光をラマン増幅する光ファイバ１３０と、光カプラ１１２を介して複数波長の励起光を光ファイバ１３０に供給するレーザダイオード１５０ａ，１５０ｂと、レーザダイオード１５０ａにより供給される複数波長の励起光のうち最短波長の励起光のパワーをラマン増幅の利得が一定になるように制御する制御部１６０と、を備える。【選択図】  図１
2005309250.tif 000002
【特許請求の範囲】
【請求項１】
入力される信号光をラマン増幅する光ファイバと、
複数波長の励起光を前記光ファイバに供給する励起光供給手段と、
前記励起光供給手段により供給される複数波長の励起光のうち最短波長の励起光のみのパワーを、前記ラマン増幅の利得が一定になるように制御する制御手段と、
を備えるラマン増幅器。
【請求項２】
前記入力される信号光のパワーの値を検出する入力信号光パワー検出手段を更に備え、
前記制御手段は、前記利得を一定にする前記最短波長の励起光のパワーの値と入力信号光のパワーの値との間の所定の関係に基づき、前記入力信号光パワー検出手段により検出された値を参照して、前記最短波長の励起光のパワーを制御する、
ことを特徴とする請求項１記載のラマン増幅器。
【請求項３】
前記所定の関係は、一次関数で表される関係であることを特徴とする請求項２記載のラマン増幅器。
【請求項４】
前記励起光供給手段は、前記励起光を前記光ファイバの後方から供給し、
前記制御手段は、前記入力信号光パワー検出手段が値を検出した時刻から前記信号光が前記光ファイバを伝搬するのに要する時間が経過した時刻に、前記最短波長の励起光のパワーを制御する、
ことを特徴とする請求項２記載のラマン増幅器。
【請求項５】
前記励起光供給手段は、前記励起光を前記光ファイバの前方から供給し、
前記ラマン増幅器は、前記信号光の経路における前記励起光供給手段と前記入力信号光パワー検出手段との間に、前記信号光を所定の時間、遅延させる遅延媒体を更に備える、
ことを特徴とする請求項２記載のラマン増幅器。
【請求項６】
前記所定の時間は、前記入力信号光パワー検出手段が値を検出してから前記制御手段が該値を参照して制御を行うまでの時間であることを特徴とする請求項５記載のラマン増幅器。
【請求項７】
前記光ファイバに入力される信号光のパワーの値を検出する入力信号光パワー検出手段と、
前記光ファイバから出力される信号光のパワーの値を検出する出力信号光パワー検出手段とを更に備え、
前記制御手段は、前記入力信号光パワー検出手段により検出される値、及び前記出力信号光パワー検出手段により検出される値を参照して、前記最短波長の励起光のパワーを制御する、
ことを特徴とする請求項１記載のラマン増幅器。
【請求項８】
前記制御手段は、前記入力信号光パワー検出手段により検出される値と、該値が検出された時刻から前記信号光が前記光ファイバを伝搬するのに要する時間が経過した時刻に前記出力信号光パワー検出手段により検出される値とを対応付けて参照して、前記最短波長の励起光のパワーを制御することを特徴とする請求項７記載のラマン増幅器。
【発明の詳細な説明】
【技術分野】
【０００１】
本発明は、信号光をラマン増幅するラマン増幅器に関するものである。
【背景技術】
【０００２】
従来から、ラマン増幅器において、複数波長の励起光のパワーの各々の値を適切に設定することにより、平坦な利得スペクトルを得る技術が提案されている（例えば、非特許文献１を参照）。
【非特許文献１】Y. Emori et al.，“Broadband lossless DCF using Raman amplification pumped by multichannel WDM laser diodes”，Electron. Lett.，vol. 34，no. 22，pp.2145-2146，1998.
【発明の開示】
【発明が解決しようとする課題】
【０００３】
しかしながら、複数波長の励起光のパワーの各々の値が一定である上記非特許文献１に記載された技術では、入力信号光のパワーの値が変化した場合、ラマン増幅には利得の飽和特性があるため、利得変動が生じる。
【０００４】
本発明は、上記問題点を解消する為になされたものであり、入力信号光のパワーの値が変化した場合でも、簡易にラマン増幅の利得変動を小さくすることができるラマン増幅器を提供することを目的とする。
【課題を解決するための手段】
【０００５】
本発明に係るラマン増幅器は、入力される信号光をラマン増幅する光ファイバと、複数波長の励起光を光ファイバに供給する励起光供給手段と、励起光供給手段により供給される複数波長の励起光のうち最短波長の励起光のみのパワーを、ラマン増幅の利得が一定になるように制御する制御手段と、を備えることを特徴とする。
【０００６】
このラマン増幅器では、励起光供給手段により光ファイバに供給される複数波長の励起光のうち、最短波長の励起光のみのパワーが制御手段によりラマン増幅の利得が一定になるように制御される。このように構成されるラマン増幅器は、最短波長の励起光のみを制御することにより、簡易にラマン増幅の利得変動を小さくすることができる。
【０００７】
本発明に係るラマン増幅器は、入力される信号光のパワーの値を検出する入力信号光パワー検出手段を更に備え、制御手段は、利得を一定にする最短波長の励起光のパワーの値と入力信号光のパワーの値との間の所定の関係に基づき、入力信号光パワー検出手段により検出された値を参照して、最短波長の励起光のパワーを制御する、のが好適である。ここでより具体的には、所定の関係は、一次関数で表される関係であるのが好適である。
【０００８】
本発明に係るラマン増幅器において、励起光供給手段は、励起光を光ファイバの後方から供給し、制御手段は、入力信号光パワー検出手段が値を検出した時刻から信号光が光ファイバを伝搬するのに要する時間が経過した時刻に、最短波長の励起光のパワーを制御する、のが好適である。このように構成されるラマン増幅器は、信号光が光ファイバを伝搬する時間を考慮した制御が可能となる。
【０００９】
本発明に係るラマン増幅器において、励起光供給手段は、励起光を光ファイバの前方から供給し、ラマン増幅器は、信号光の経路における励起光供給手段と入力信号光パワー検出手段との間に、信号光を所定の時間、遅延させる遅延媒体を更に備える、のが好適である。このように構成されるラマン増幅器は、入力信号光のパワーを検出してから励起光のパワーを制御するまでの時間を考慮した制御が可能となる。ここで、所定の時間は、入力信号光パワー検出手段が値を検出してから制御手段が該値を参照して制御を行うまでの時間であるのが好適である。
【００１０】
本発明に係るラマン増幅器は、光ファイバに入力される信号光のパワーの値を検出する入力信号光パワー検出手段と、光ファイバから出力される信号光のパワーの値を検出する出力信号光パワー検出手段とを更に備え、制御手段は、入力信号光パワー検出手段により検出される値、及び出力信号光パワー検出手段により検出される値を参照して、最短波長の励起光のパワーを制御する、のが好適である。また、制御手段は、入力信号光パワー検出手段により検出される値と、該値が検出された時刻から信号光が光ファイバを伝搬するのに要する時間が経過した時刻に出力信号光パワー検出手段により検出される値とを対応付けて参照して、最短波長の励起光のパワーを制御するのが好適である。
【発明の効果】
【００１１】
本発明に係るラマン増幅器によれば、最短波長の励起光のみを制御することにより、入力信号光のパワーの値が変化した場合でも、簡易にラマン増幅の利得変動を小さくすることができる。
【発明を実施するための最良の形態】
【００１２】
以下、添付図面を参照して本発明の実施の形態を詳細に説明する。なお、図面の説明において同一の要素には同一の符号を付し、重複する説明を省略する。
【００１３】
本願発明者は、ラマン増幅の利得制御について鋭意研究を重ねた結果、入力信号光のパワーが変化しても、複数波長の励起光のうち最短波長の励起光のみのパワーを制御することにより、利得スペクトルの変動を小さくすることができることを見出し、本発明を完成させるに至った。
【００１４】
［第１実施形態］
図１に、第１実施形態に係るラマン増幅器１００の構成を示す。ラマン増幅器１００は、光入射端１０１に入力される信号光をラマン増幅し、ラマン増幅された信号光を光出射端１０２から出力する。ラマン増幅器１００は、光入射端１０１から光出射端１０２へ至る信号光伝搬経路上に光カプラ１１１、光アイソレータ１２１、光カプラ１１２、ラマン増幅用光ファイバ１３０、光アイソレータ１２２及び光カプラ１１３を順に備える。また、ラマン増幅器１００は、光カプラ１１１に接続されたフォトダイオード１４１、光カプラ１１２に接続された光カプラ１１４、該光カプラ１１４に接続されたレーザダイオード１５０ａ，１５０ｂ、光カプラ１１３に接続されたフォトダイオード１４２、並びにフォトダイオード１４１，１４２及びレーザダイオード１５０ａに接続された制御部１６０を備える。
【００１５】
光カプラ１１１は、光入射端１０１に入力された信号光の一部を分岐してフォトダイオード１４１へ出力し、残部を光アイソレータ１２１へ出力する。フォトダイオード１４１は、光カプラ１１１から到達した信号光を受光して、入力信号光のパワーに応じた電気信号を出力し、その電気信号を制御部１６０へ出力する。
【００１６】
光カプラ１１２は、光カプラ１１４から出力された複数波長の励起光を入力して、その複数波長の励起光を光ファイバ１３０に供給する。また、光カプラ１１２は、光カプラ１１１から出力され光アイソレータ１２１を経由して到達した信号光を入力して、その信号光を光ファイバ１３０へ出力する。
【００１７】
光カプラ１１３は、光ファイバ１３０から出力され光アイソレータ１２２を経由して到達した信号光の一部を分岐してフォトダイオード１４２へ出力し、残部を光出射端１０２へ出力する。フォトダイオード１４２は、光カプラ１１３から到達した信号光を受光して、入力信号光のパワーに応じた電気信号を出力し、その電気信号を制御部１６０へ出力する。
【００１８】
光カプラ１１４は、レーザダイオード１５０ａ，１５０ｂ各々から出力された、互いに波長が異なる励起光を入力し、それぞれの励起光を合波し、合波された複数波長の励起光を光カプラ１１２へ出力する。
【００１９】
光アイソレータ１２１，１２２は、光入射端１０１から光出射端１０２へ向かう順方向に光を通過させるが、逆方向には光を通過させない。
【００２０】
光ファイバ１３０は、光カプラ１１２から励起光が供給されると共に、光カプラ１１２から出力された信号光を入力して、信号光をラマン増幅し、ラマン増幅した信号光を光アイソレータ１２２へ出力する。
【００２１】
レーザダイオード１５０ａ，１５０ｂ各々は、ラマン増幅用の励起光を出力するものであり、各々から出力される励起光の波長は互いに異なる。ここでレーザダイオード１５０ａから出力される励起光の波長は、レーザダイオード１５０ｂから出力される励起光の波長よりも短いものとする。即ち、レーザダイオード１５０ａから出力される励起光は、複数波長の励起光のうち最短波長の励起光であるものとする。
【００２２】
制御部１６０は、フォトダイオード１４１，１４２各々から出力された電気信号を入力して、これらの電気信号に基づいて、レーザダイオード１５０ａから出力される励起光のパワーを、ラマン増幅の利得が一定になるように制御する。制御部１６０は、具体的には、制御を行う電気回路等で実現されることが好ましい。
【００２３】
ここで、レーザダイオード１５０ａ，１５０ｂ及び光カプラ１１２，１１４は、複数波長の励起光を光ファイバ１３０に供給する励起光供給手段の役割を果たす。フォトダイオード１４１及び光カプラ１１１は、光ファイバ１３０に入力される信号光のパワーの値を検出する入力信号光パワー検出手段の役割を果たす。フォトダイオード１４２及び光カプラ１１３は、光ファイバから出力される出力信号光のパワーの値を検出する出力信号光パワー検出手段の役割を果たす。
【００２４】
ラマン増幅器１００は以下のように動作する。レーザダイオード１５０ａ，１５０ｂ各々から出力された励起光は、光カプラ１１４により合波され、光カプラ１１２を経て、増幅用光ファイバ１３０へ前方から供給される。光入射端１０１に入力された信号光は、光カプラ１１１、光アイソレータ１２１及び光カプラ１１２を経て、光ファイバ１３０に入力され、光ファイバ１３０においてラマン増幅される。ラマン増幅された信号光は、光アイソレータ１２２及び光カプラ１１３を経て、光出射端１０２から出力される。
【００２５】
光入射端１０１に入力された信号光の一部は、光カプラ１１１により分岐されてフォトダイオード１４１に入力され、フォトダイオード１４１により受光されて、受光量に応じた電気信号がフォトダイオード１４１から出力される。光出射端１０２から出力される信号光の一部は、光カプラ１１３により分岐されてフォトダイオード１４２に入力され、フォトダイオード１４２により受光されて、受光量に応じた電気信号がフォトダイオード１４２から出力される。
【００２６】
制御部１６０では、フォトダイオード１４１から出力された電気信号に基づいて入力信号光のパワーがモニタされ、フォトダイオード１４２から出力された電気信号に基づいて出力信号光のパワーがモニタされる。制御部１６０により、モニタされた入力信号光及び出力信号光それぞれのパワーからラマン増幅の利得が算出されて、レーザダイオード１５０ａから出力される励起光のパワーがラマン増幅の利得が一定になるように制御される。
【００２７】
以下、本実施形態における実施例を示す。光ファイバ１３０は、長さ９．９ｋｍの分散補償ファイバとする。レーザダイオード１５０ａ，１５０ｂ各々から出力される励起光の中心波長はそれぞれ１４３５．４ｎｍ，１４６２．２ｎｍとする。ラマン増幅器１００に入力される信号光は３２ｃｈで、それぞれ１５３４．２５〜１５５８．９８ｎｍの帯域に周波数１００ＧＨｚ間隔で配置されている。
【００２８】
入力信号光のパワーを−３２ｄＢｍ／ｃｈから−５ｄＢｍ／ｃｈまで変化させ、制御部１６０にて信号光帯域内の平均利得が一定となるように制御を行った。なお、レーザダイオード１５０ｂから出力される励起光のパワーの値は一定とする。図２に、入力信号光のパワー毎のラマン増幅の利得スペクトルを示す。図２において、横軸は信号光の波長、縦軸は利得である。図２に示すように、−３２ｄＢｍ／ｃｈから−５ｄＢｍ／ｃｈまで２７ｄＢのパワーの変化に対して、利得変動が約±０．１ｄＢｐｐに抑制されている。
【００２９】
上記制御の比較例として、レーザダイオード１５０ａから出力される励起光のパワーを制御しない（複数波長の励起光のパワーの値が一定）ということ以外は上記と同じ条件でラマン増幅を行った。比較例における、入力信号光のパワー毎のラマン増幅の利得スペクトルを図３に示す。なお、レーザダイオード１５０ａ，１５０ｂ各々から出力される励起光のパワーは、入力信号光のパワーが−５ｄＢｍ／ｃｈのときにネット利得がほぼ０ｄＢで、かつ利得スペクトルが最も平坦になるように設定している。図３に示すように、最大で１．５ｄＢｐｐ程度の利得変動が発生している。また、入力信号光のパワーが減少するほど利得が増加している。
【００３０】
この結果は、入力信号光のパワーが変化しても、信号光帯域内の平均利得が一定になるように最短波長の励起光のみのパワーを制御することにより、利得スペクトルの安定性を得られるということを示している。即ち、本実施形態によれば、簡易にラマン増幅の利得変動を小さくすることができる。
【００３１】
また、本実施形態のように、入力信号光のパワーの値と出力信号光のパワーの値とをモニタし、それらの値を参照して最短波長の励起光のパワーを制御することとすれば、より適切なラマン増幅の利得変動の制御を行うことができる。
【００３２】
［第２実施形態］
第１実施形態では、複数波長の励起光は光ファイバ１３０へ前方から供給されていた。次に、複数波長の励起光が光ファイバ１３０へ後方から供給される第２実施形態を説明する。図４に、第２実施形態に係るラマン増幅器２００の構成を示す。
【００３３】
図４に示すように、本実施形態においては、複数波長の励起光を光ファイバ１３０へ供給する光カプラ１１５は、信号光の経路における光ファイバ１３０と光アイソレータ１２２との間に設けられている。
【００３４】
この光カプラ１１５は、光カプラ１１４から出力された複数波長の励起光を入力して、該複数波長の励起光を増幅用光ファイバ１３０へ後方から供給する。また、光カプラ１１５は、光ファイバ１３０から出力された信号光を入力して、該信号光を光アイソレータ１２２へ出力する。
【００３５】
以下、本実施形態における実施例を示す。光ファイバ１３０、信号光、及びレーザダイオード１５０ａ，１５０ｂ各々から出力される励起光に関する条件は第１実施形態における条件と同じものとする。
【００３６】
図５に、入力信号光のパワー毎のラマン増幅の利得スペクトルを示す。図５に示すように、−３２ｄＢｍ／ｃｈから−５ｄＢｍ／ｃｈまで２７ｄＢｍ／ｃｈのパワーの変化に対して、利得変動が約±０．１５ｄＢｐｐに抑制されている。
【００３７】
複数波長の励起光のパワーが一定である条件でラマン増幅を行った際の入力信号光のパワー毎のラマン増幅の利得スペクトルを、比較例として図６に示す。図６に示すように、最大で１．０ｄＢｐｐ程度の利得変動が発生している。なお、図３で示した前方励起の場合と比較すると、入力信号光のパワーの変化による利得の変化量は前方励起の場合の方が大きいが、これは前方励起のラマン増幅の方が利得の飽和が起きやすいためである。
【００３８】
上記のように、後方励起の本実施形態によっても、簡易にラマン増幅の利得変動を小さくすることができる。
【００３９】
［第３実施形態］
本願発明者は、上記の実施例をはじめとした検討及び研究において、ラマン増幅の利得を一定にする最短波長の励起光のパワーの値と入力信号光のパワーの値との間に所定の関係があることを見出した。
【００４０】
図７は、所定の関係を示すグラフである。図７は、第１及び第２実施形態の実施例における、平均利得を一定とするように最短波長の励起光（レーザダイオード１５０ａから出力される、波長１４３５．４ｎｍの励起光）のパワーを制御したときの、入力信号光のパワーの値と最短波長の励起光のパワーの値との間の関係を示したグラフである。図７において、横軸は入力信号光のパワーの値、縦軸は最短波長の励起光のパワーの値を示す。図７に示すように、入力信号光のパワーの値と最短波長の励起光のパワーの値とは、一次関数で表される関係となっている。
【００４１】
第３実施形態は、この所定の関係を利用してラマン増幅の利得を制御するものである。図８に、第３実施形態に係るラマン増幅器３００の構成を示す。図８に示すように、制御部１６０には、フォトダイオード１４１から出力された電気信号のみが入力される。制御部１６０は、上記の所定の関係を記憶しておき、この関係に基づきモニタされた入力信号光のパワーの値から、最短波長の励起光のパワーの値を算出する。そして、制御部１６０は、レーザダイオード１５０ａから出力される励起光のパワーを、パワーの値が算出された値となるように制御する。最短波長の励起光のパワーの値は、具体的には、
最短波長の励起光のパワー（ｍＷ）＝ａ×入力信号光のパワー（ｍＷ）＋ｂ
という一次関数で表される関係式により算出される。ここで、ａ及びｂは定数である。
【００４２】
本実施形態のように、利得を一定にする最短波長の励起光のパワーの値と入力信号光のパワーの値との間の所定の関係、特に一次関数で表される関係に基づき、最短波長の励起光のパワーを制御することとすれば、簡易にラマン増幅の利得変動を小さくすることができる。
【００４３】
［第４実施形態］
ラマン増幅器において、入力信号光のパワーの値が急激に変化すると、ラマン増幅の利得が過渡的に変化する。そのため、急激な入力信号光のパワー変動が生じても過渡的変動無しに利得を一定に制御するためには、高速に利得を一定とする制御が必要となる。ラマン増幅器用光ファイバは一般的に数ｋｍ以上と希土類添加ファイバ増幅器のものより長いため、増幅用光ファイバを信号光が伝搬する時間を考慮して制御系を設計する必要がある。
【００４４】
後方ラマン増幅器において、入力信号光のパワーの値が変化してから励起光のパワーの値を変化させるまでの時間を、増幅用光ファイバを信号光が伝搬する時間と同じにすることにより利得の過渡的変動を抑制することが可能である。よって、後方励起ラマン増幅器において入力信号光のパワーの値を検出して、励起光のパワーを制御するフィードフォワード制御をする際には、制御系に増幅用光ファイバの伝搬時間分だけの遅延時間を与える必要がある。遅延時間を与える方法としては、電気回路上で遅延を与えるものと光学的に遅延を与えるものとがある。
【００４５】
図９に、光学的に遅延を与えるラマン増幅器４００を示す。図９に示すように、ラマン増幅器４００は、光カプラ１１１とフォトダイオード１４１との間に、信号光を所定の時間、遅延させる遅延媒体１７１を備える。遅延媒体１７１としては、遅延ファイバ等を用いるのが好ましい。ここで所定の時間とは、光ファイバの伝搬時間を考慮して、パワーの値が検出される信号光に対する、制御部１６０からレーザダイオード１５０ａへの制御が適切なタイミングでなされる時間であることが好ましい。例えば、光カプラ１１１から遅延ファイバ１７１へ信号光が出力された時刻から信号光が光ファイバ１３０を伝搬するのに要する時間が経過した時刻に、該信号光のパワーの値を参照して最短波長の励起光のパワーを制御できるようにすることが好ましい。
【００４６】
このような構成によれば、光ファイバ１３０での信号光の伝搬時間を考慮した励起光のパワーの制御が可能となる。従って、本実施形態によれば、ラマン増幅の利得の過渡的な変化を抑制することができる。
【００４７】
上記で示したものは後方励起ラマン増幅器であるが、前方励起ラマン増幅器では、入力信号光のパワー変化とほぼ同時に励起光のパワーを変化させることによって利得の過渡的変動を抑制することができる。しかし、通常、制御回路には応答時間（あるいは遅延時間）が存在するために、入力信号光のパワー変化と同時に励起光のパワーを制御することは非常に難しい。
【００４８】
そこで前方励起において利得の過渡的な変化を抑制するラマン増幅器５００を図１０に示す。図１０に示すようにラマン増幅器５００は、光カプラ１１１と光アイソレータ１２１との間に、信号光を所定の時間、遅延させる遅延媒体１７２を備える。ここで、所定の時間は、フォトダイオード１４１に信号光が入力されてから、制御部１６０が該入力された信号光のパワーの値を参照して制御を行うまでの時間であることが好ましい。この時間は、制御部１６０の制御回路の遅延時間とほぼ同程度である。
【００４９】
このような構成により、信号光と、この信号光のパワーの値に基づいて制御された励起光とがほぼ同時に光ファイバ１３０に入力されるので、ラマン増幅の利得の過渡的な変化を抑制することができる。
【００５０】
また、入出力信号光それぞれのパワーをモニタする方式においても、光ファイバの長さ分だけ入力信号光のモニタと出力信号光のモニタとに時間的ずれが生じる。図１１にこの方式において、時間的なずれを生じさせないラマン増幅器６００を示す。図１１に示すように、ラマン増幅器６００は、光カプラ１１１とフォトダイオード１４１との間に、信号光を所定の時間、遅延させる遅延媒体１７３を備える。ここで所定の時間は、入力信号光のモニタと出力信号光のモニタとに時間的ずれを生じさせない時間であることが好ましい。
【００５１】
このように構成により、ラマン増幅の利得の過渡的な変化を抑制することができ、かつ時間的に正確な利得を検出することができる。
【図面の簡単な説明】
【００５２】
【図１】第１実施形態に係るラマン増幅器の構成図である。
【図２】第１実施形態における、入力信号光のパワーを変化させたときの利得スペクトルを示したグラフである。
【図３】第１実施形態における、励起光のパワーの制御を行わないときの利得スペクトル（比較例）を示したグラフである。
【図４】第２実施形態に係るラマン増幅器の構成図である。
【図５】第２実施形態における、入力信号光のパワーを変化させたときの利得スペクトルを示したグラフである。
【図６】第２実施形態における、励起光のパワーの制御を行わないときの利得スペクトル（比較例）を示したグラフである。
【図７】平均利得を一定とするように制御したときの、入力信号光のパワーと最短波長の励起光のパワーの値と間の関係を示したグラフである。
【図８】第３実施形態に係るラマン増幅器の構成図である。
【図９】第４実施形態に係るラマン増幅器の構成図である。
【図１０】第４実施形態に係るラマン増幅器の別の例の構成図である。
【図１１】第４実施形態に係るラマン増幅器の別の例の構成図である。
【符号の説明】
【００５３】
１００，２００，３００，４００，５００，６００…ラマン増幅器、１０１…光入射端、１０２…光出射端、１１１〜１１５…光カプラ、１２１，１２２…光アイソレータ、１３０…光ファイバ、１４１，１４２…フォトダイオード、１５０ａ，１５０ｂ…レーザダイオード、１６０…制御部、１７１〜１７３…遅延媒体（遅延ファイバ）。
【図１】
2005309250.tif 000003
【図２】
2005309250.tif 000004
【図３】
2005309250.tif 000005
【図４】
2005309250.tif 000006
【図５】
2005309250.tif 000007
【図６】
2005309250.tif 000008
【図７】
2005309250.tif 000009
【図８】
2005309250.tif 000010
【図９】
2005309250.tif 000011
【図１０】
2005309250.tif 000012
【図１１】
2005309250.tif 000013